(57)【要約】 【課題】  広告表示の媒体として適していなかった生コンクリート用アジテータトラックの荷台上の回転式タンクの曲面部分等を広告表示体として有効に利用した車両を提供する。また効率的広告効果を得るための手段が備わった生コンクリート用アジテータトラックを提供する。【解決手段】回転タンクの表面への広告表示を３５〜４５面に分割した台形の粘着部を有するフィルムに印刷しそれをタンク表面に貼付することにより回転式タンクの曲面部分に広告用意匠を表示する。斬新な形態の広告であるため、大きな宣伝広告効果を発揮することができる。また車両にＧＰＳ機能付携帯電話を搭載させ、位置情報を広告主が常時把握できる環境を提供し、広告主から走行路線の指示を受けることにより効率的宣伝効果を得ることが出来る。【選択図】図１
0003123563.tif 000002
【実用新案登録請求の範囲】
【請求項１】
回転式タンク部分の外部表面に広告用意匠を施した広告手段を備えた生コンクリート用のアジテータトラックのタンク部と、広告主がインターネットを通じて自分の広告を掲載したアジテータトラックを常時確認できるＧＰＳシステム機能付携帯電話を搭載している操作台部とからなることを特徴とする広告手段を備えたアジテータトラック。
【請求項２】
請求項１において、回転式タンク部分の外部表面に広告用意匠を施した広告手段を備えた生コンクリート用のアジテータトラックのタンク部は回転タンクの表面への広告表示を３０〜５０面に分割した台形の粘着部を有するフィルムに印刷し、それをタンク表面に貼付していることを特徴とする広告手段を備えたアジテータトラック。
【請求項３】
請求項１において、ＧＰＳシステム機能付携帯電話を搭載している操作台部は、広告主がインターネットを通じて車両の位置を確認し、上記トラックに広告を行いたい地域を重点的に走行することを指示し、走行する路線を指定することが出来るＧＰＳ電話システムを取り付けていることを特徴とした広告手段を備えたアジテータトラック。
【考案の詳細な説明】
【技術分野】
【０００１】
本考案は、走行中に十分に広告・宣伝機能を発揮できるようにした広告手段を備えたアジテータトラックに関するものである。
【背景技術】
【０００２】
従来、路線バス、電車、営業用車両等の車体の表面部分に、広告用の文字、絵柄等を表示し、宣伝広告を行なっている専用車両は存在している（特許文献５参照）。
生コンクリート用のアジテータトラックの回転タンクの部分については、形状が曲面のであることから広告を表示しづらいため、広告用の文字や絵柄の意匠を表示することは行なわれていなかった。この点、積載型タンク自動車の荷台上のタンクの両側を平板状の部材で覆い、この立設した平板状の部材の外面に広告を表示することが提案されている（特許文献１参照）。この例に見られるように、車両の荷台上の曲面でなるタンク部分は、一般に、広告表示体としては不適当であると認識されていた。
【０００３】
一方、広告手段を備えた生コンクリート用のアジテータトラックについては、その作製方法の記載はあるものの、その作製された広告物が効果的に広告手段としての機能を果たすための考案はほとんどなされていない（特許文献２，３，４参照）。
【特許文献１】特開２００１−１１７５２０号公報
【特許文献２】特開２００３−４３９７１号公報
【特許文献３】特開２００４−２３３８５７号公報
【特許文献４】実開Ｈ０２−０６４４５７号公報
【特許文献５】実登３０４１１９１号公報
【考案の開示】
【考案が解決しようとする課題】
【０００４】
生コンクリート用のアジテータトラックの回転タンクの部分については、形状が曲面のであることから広告を表示しづらいため、広告用の文字や絵柄の意匠を表示することはほとんど行なわれていない。
積載型タンク自動車の荷台上のタンクの両側を平板状の部材で覆っているが、アジテータトラックのタンクの局面部分に効果的に広告・宣伝媒体を貼り付けて、市街地を走行中に十分に広告・宣伝機能を発揮できるようにした広告手段・機器を備えたアジテータトラックを提供することにある。
【課題を解決するための手段】
【０００５】
本考案は、回転式タンク部の外部表面に広告用意匠を施した広告手段を備えた生コンクリート用のアジテータトラックのタンク部と、広告主がインターネットを通じて自分の広告を掲載したアジテータトラックを常時確認できるＧＰＳシステム機能付携帯電話を搭載している操作台部とからなる広告手段を備えたアジテータトラックである。
アジテータタンクの容量は２．２５立米、あるいは５立米（表面２２平米）があり、その表面に広告用のフィルムを貼り合わせる。またタンクの回転は好ましくは５立米のアジテータタンクで５５秒／１回転であり、２．２５立米のアジテータタンクで４０秒／１回転である。
このアジテータトラックには、回転式タンク部分の外部表面に広告用意匠を施した広告手段を備えた生コンクリート用のアジテータトラックのタンク部分は回転タンクの表面への広告表示を３０〜５０面に分割した台形の粘着部を有するフィルムに印刷しそれをタンク表面に貼付している広告手段を備えたアジテータトラックであり、広告表示のフィルムを３０〜５０枚、好ましくは３５〜４５枚を張り合わせて有効な広告塔にしている。
広告の種類は一般的なものであって、食品関係、電機関係、ＩＴ関係、外食関係、自動車関係、宿泊関係などであり、これに限定するもではない。フィルムの材質はポリエチレン、ポリプロピレン、ナイロン、ポリエステル、ポリ酢酸ビニール、ポリ塩化ビニールなどが使用できる。が望ましい。
本考案においてＧＰＳシステム機能付携帯電話の搭載は、広告主がインターネットを通じて車両の位置を確認して、上記トラックに広告を行いたい地域を重点的に走行することを指示して、走行する路線を指定することが出来る電話を取り付けている広告手段を備えたアジテータトラックであり、効果的に広告・宣伝活動ができるようにしている。
本考案は回転タンクの表面への広告表示を３５〜４５面程度に分割した台形の粘着部を有するフィルムに印刷しそれをタンク表面に貼付することにより曲面部分から成るタンク部分が広告表示体として不適当であるという課題を解決した。
【０００６】
広告手段を備えた生コンクリート用のアジテータトラックが効率的に広告手段としての機能を果たすため、そのアジテータトラックにＧＰＳ機能を備えた携帯電話を搭載させ、広告主に広告物の現在地をインターネット通じて常時知らしめすことにより、広告主は電話等によりそのトラック運転手に対し走行する路線を指示する事で、より効率的広告効果を得ることが出来るようになった。上記のＧＰＳシステムは通常使用しているＧＰＳ携帯電話が使用できる。携帯電話はイヤホンマイクが付いたものが望ましい。
【考案の効果】
【０００７】
本考案において生コンクリート用のアジテータトラックの回転式タンク部分は、道路の脇に立つ歩行者や他の車両の運転者等にとってゆっくりと回転移動する斬新な形態の広告であるため、関心が喚起され、その広告の全部または主要部分を見るであろうと期待されるため、大きな宣伝広告効果を発揮することができる。
【０００８】
上記広告は、粘着部を有するフィルムを用いることにより、宣伝期間が限定されている場合等に、そのフィルムの貼付及び剥離によって、広告の新設、削除、変更を容易に行なうことができる。
【０００９】
生コンクリート用アジテータトラックはその積荷の性質上、生コン工場と現場の間（最長約６０分）をトラックが繰り返し往復するため、広告主が宣伝をしたい地域を重点的に主要路線に限定することなく走行できることから、より高い宣伝効果がのぞめる。
【考案を実施するための最良の形態】
【００１０】
一般的な実施における状態、形態などを記述するが、この状態に限定するものではない。一例を以下実施例に示す。
【実施例】
【００１１】
具体的な実施状態の例を記述する。
裏
面が粘着性のある厚さ１００ミクロンのポリ塩化ビニール製フィルム表面に広告主である自動車メーカーの広告意匠を印刷し、これを４０枚に裁断して、生コンクリート用のアジテータトラックの回転式タンク部分に貼付する。広告意匠をタンク表面に貼付したアジテータトラックは１回転５５秒とゆっくりとした速度で回転しながら道路を走行することにより、運転中のドライバーや歩道上の歩行者である一般消費者に対して動く広告意匠である自動車メーカーの広告意匠への興味関心を喚起させる。また広告主は自分の広告意匠を貼付したアジテータトラックが常時どの道路を走行しているかを確認できることにより、最も宣伝効果の高い道路を走行するように、そのトラックの運転手に対し指示を出すことが可能であった。これらにより高い宣伝効果を得ることが出来た。
【図面の簡単な説明】
【００１２】
【図１】アジテータトラック左側面図及びＧＰＳシステム機能付携帯電話
【図２】回転タンク表面の広告用意匠（左側面図及び右側面図）
【図３】広告用意匠に用いるシールの平面図
【符号の説明】
【００１３】
１ＧＰＳシステム機能付携帯電話
２広告用意匠
３タンク前方部用フィルム
４タンク中央部用フィルム
５タンク後方部用フィルム
【図１】
0003123563.tif 000003
【図２】
0003123563.tif 000004
【図３】
0003123563.tif 000005